(57)【要約】  【課題】  光の利用効率が高く、小型で低消費電力、及びコストの低減が可能な光源装置を提供する。  【解決手段】  照明光を発光させる発光素子１１とライトガイド１２の入射開口１２ａの間に配置された集光素子１３と、この集光素子の略中心部分に設けられ、発光素子１１からの光を平行光に変換する第１のレンズ部１３ａとその平行光をライトガイド１２の入射開口１２ａに収束させる第２のレンズ部１３ｃのレンズ手段と、集光素子のレンズ手段の周辺に一体的に設けられ、発光素子１１からの光を反射させてライトガイド１２の入射開口１２ａに収束させる回転楕円形状の回転楕円面１３ｅと反射鏡面１３ｆを有する回転楕円鏡手段を備え、レンズ手段と回転楕円鏡手段の焦点位置は、ライトガイド１２の入射開口１２ａにおいてほぼ一致するように形成した光源装置。  【選択図】  図１
2005347224.tif 000002
【特許請求の範囲】
【請求項１】
被写体に投射される照明光を生成し、その照明光を導光するライトガイドに入射させる光源装置において、
照明光を発光させる発光素子とライトガイドの照明光の入射開口の間の同一光軸上に配置された集光手段と、
この集光手段の略中心部分に設けられ、前記発光素子からの光を平行光に変換する第１のレンズ部と、その平行光を前記ライトガイドの入射開口に収束させる第２のレンズ部からなるレンズ手段と、
前記集光手段の略中心部分に設けられたレンズ手段の周辺に設けられ、前記発光素子からの光を反射させて前記ライトガイドの入射開口に収束させる回転楕円形状に形成された回転楕円鏡手段と、
を具備したことを特徴とする光源装置。
【請求項２】
前記ライトガイドの入射開口は、前記回転楕円鏡手段の外径を前記ライトガイドの入射開口側に仮想延長させた楕円短径と前記ライトガイドの入射開口の外径とが一致する位置に配置させたことを特徴とする請求項１記載の光源装置。
【請求項３】
前記集光手段のレンズ手段と回転楕円鏡手段は、光透過率及び屈折率の大きな樹脂部材により一体に形成され、前記回転楕円鏡手段には金属の真空蒸着鍍金により反射鏡面が形成されていることを特徴とする請求項１乃至２のいずれかに記載の光源装置。
【請求項４】
前記レンズ手段の第１のレンズ部の周辺には、前記発光素子と前記回転楕円鏡手段を結ぶ線上に前記発光素子を中心とする第１の球面が形成されていることを特徴とする請求項１乃至３のいずれかに記載の光源装置。
【請求項５】
前記レンズ手段の第２のレンズ部の周辺には、前記ライトガイドと前記回転楕円鏡手段とを結ぶ線上に前記ライトガイドの入射開口を中心とする第２の球面が形成されていることを特徴とする請求項１乃至３のいずれかに記載の光源装置。
【請求項６】
前記集光手段のレンズ手段と回転楕円鏡手段とは個別に形成され、そのレンズ手段と回転楕円鏡手段の間は少なくとも一対の薄板状の連結部により連結されて一体化されていることを特徴とする請求項１乃至５のいずれかに記載の光源装置。
【請求項７】
前記発光素子は、発光ダイオードを用いたことを特徴とする前記請求項１乃至６のいずれかに記載の光源装置。
【発明の詳細な説明】
【技術分野】
【０００１】
本発明は、医療用内視鏡、工業用内視鏡、画像検査装置、及び顕微鏡観察装置において、照明光を導光して観察被写体に投射するライトガイドに対して照明光を供給する光源装置に関する。
【背景技術】
【０００２】
従来から医療用内視鏡、工業用内視鏡、画像検査装置、及び顕微鏡観察装置等を用いて、体腔内や管状物内を観察検査する際に、光源ランプからの光を体腔内や管状物内に挿入する挿入部に内蔵されているライトガイドにより導光して被写体へ投射している。この光源ランプからの光をライトガイドに効率よく入射させるために、光源ランプとライトガイドの間に集光素子を配置させた光源装置が、例えば、特許文献１に提案されている。
【０００３】
この特許文献１に提案されている光源装置は、図５に示すように、光源ランプ５１と、この光源ランプ５１からの光を導光するライトガイド５２の間に集光素子５３が配置されている。この集光素子５３は、光透過率の高い材料にて形成され、凸レンズ部５４と、この凸レンズ部５４の周囲に形成され、凸レンズ部５４の径方向外側において光軸線方向の厚さ寸法が大となる断面形状略半円形の環状部５５とが一体的に形成されている。
【０００４】
光源ランプ５１の発光部５１ａからの拡散光は、集光素子５３の凸レンズ部５４により集光されるのみでなく、環状部５５に入射した拡散光は、環状部５５の外壁面５５ｃにおいて反射集光させて、ライトガイド５２の入射面５２ａの集光させることがきる。
【０００５】
また、集光素子５３の環状部５５の外壁面５５ｃは、光源ランプ５１に近い側の部分を光源ランプ５１に向かって口径が漸減するテーパ面を形成することにより、この環状部５５に入射された光が大きな入射角でテーパ面に到達することになり、外壁面５５ｃにて反射する光を増加させることができる。
【特許文献１】特開２００３−８６０１４号公報
【発明の開示】
【発明が解決しようとする課題】
【０００６】
上述した特許文献１に提案されている光源装置に用いられている集光素子５３は、環状部５５の反射率が小さいため、多くの光が環状部５５を透過してしまう。また、集光素子５３により集光された光は、ライトガイド５２の入射面５２ａにおいて小さく集光しないため、ライトガイド５２に入射する光量が少なくなる。
【０００７】
よって、光源ランプ５１からの光の利用効率が低く、ライトガイド５２の出射端から出射される光を所定の光量にするために、発光量の大きい光源ランプ５１を用いたり、あるいは光源ランプ５１に印加する点灯電流を増加させる必要があり、光源装置の大型化、消費電流の増大、及びコストが高くなるという課題があった。
【０００８】
本発明は、上記事情に鑑みてなされたもので、光源からの光の利用効率が高く、小型で低消費電力、及びコスト低減が可能な光源装置を提供することを目的とする。
【課題を解決するための手段】
【０００９】
本発明の光源装置は、被写体に投射される照明光を生成し、その照明光を導光するライトガイド１２に入射させる光源装置において、照明光を発光させる発光素子１１とライトガイド１２の照明光の入射開口１２ａの間の同一光軸上に配置された集光素子１３である集光手段と、この集光手段の略中心部分に設けられ、前記発光素子１１からの光を平行光に変換する第１のレンズ部１３ａと、その平行光を前記ライトガイド１２の入射開口１２ａに収束させる第２のレンズ部１３ｃからなるレンズ手段と、前記集光手段の略中心部分に設けられたレンズ手段の周辺に一体的に設けられ、前記発光素子１１からの光を反射させて前記ライトガイド１２の入射開口１２ａに収束させる回転楕円形状に形成された回転楕円面１３ｅからなる回転楕円鏡手段と、を具備したことを特徴とする。
【００１０】
本発明の光源装置のライトガイド１２の入射開口１２ａは、前記回転楕円鏡手段の外径を前記ライトガイドの入射開口側に仮想延長させた楕円短径と前記ライトガイドの入射開口の外径とが一致する位置に配置させたことを特徴とする。
【００１１】
本発明の光源装置の集光手段のレンズ手段と回転楕円鏡手段は、光透過率及び屈折率の大きな樹脂部材により一体に形成され、前記回転楕円鏡手段には金属の真空蒸着鍍金により反射鏡面１３ｆが形成されていることを特徴とする。
【００１２】
本発明の光源装置のレンズ手段の第１のレンズ部１３ａの周辺には、前記発光素子１１と前記回転楕円鏡手段を結ぶ線上に前記発光素子１１を中心とする第１の球面１３ｂが形成され、前記レンズ手段の第２のレンズ部１３ｃの周辺には、前記ライトガイド１２と前記回転楕円鏡手段とを結ぶ線上に前記ライトガイド１２を中心とする第２の球面１３ｄが形成されていることを特徴とする。
【００１３】
本発明の光源装置の集光手段のレンズ手段と回転楕円鏡手段とは個別に形成され、そのレンズ手段と回転楕円鏡手段の間は少なくとも一対の薄板状の連結部１５ｃにより連結されて一体化されていることを特徴とする。
【００１４】
また、本発明の光源装置の記発光素子１１は、発光ダイオードを用いたことを特徴とする。
【発明の効果】
【００１５】
本発明の光源装置は、発光素子からの光のうち中央付近の光を集光するレンズ手段と、この中央付近の周辺付近の光を集光する回転楕円鏡手段からなる集光素子を設け、この集光素子のレンズ手段と回転楕円鏡手段の焦点位置をほぼ一致するような形状に一体成形したことにより、発光素子から出射された光の利用効率が高く、小型で低消費電力、及び低コストの光源装置の提供が可能となった。
【発明を実施するための最良の形態】
【００１６】
以下、本発明の光源装置の実施形態について図面を用いて説明する。図１は本発明の第１の実施形態である光源装置の主要部の構成を示す断面図である。
【００１７】
この光源装置は、前述したように、医療用内視鏡、工業用内視鏡、画像検査装置、及び顕微鏡観察装置等に照明光を生成供給するもので、例えば、医療用内視鏡を例に説明すると、図示していないが、内視鏡は、術者が把持操作するための操作部、この操作部から延出されて体腔内に挿入される可撓性の細長い挿入部、及び操作部から挿入部に内蔵され、かつ、操作部から延出されたライトガイドから構成されている。この内視鏡のライトガイドの基端に入射された照明光は、ライトガイドにより導光され、挿入部の先端に位置しているライトガイドの先端から体腔内の被写体に対して投射される。このライトガイドの基端は、ライトガイドコネクタにより光源装置に接続されるようになっており、光源装置には、光源ランプ、あるいは発光ダイオード等の発光素子と、この発光素子の点灯／消灯と点灯電流の供給制御等の点灯制御用の駆動機能が内蔵されている。
【００１８】
このような光源装置である本発明の第１の実施形態は、図１に示すように、発光ダイオード（ＬＥＤ）等の発光素子１１、この発光素子１１からの光が入射され、その入射された光を導光する多数の細径のガラスファイバーを屈曲可能な状態に束ね合わせたライトガイド１２、この発光素子１１とライトガイド１２の基端の光が入射される入射開口１２ａの間に配置された集光手段である集光素子１３、及び発光素子１１の点灯制御を行う図示していない点灯駆動回路等からなっている。これら発光素子１１、ライトガイド１２の入射開口１２ａ、及び集光素子１３は、同一光軸上に配置されている。
【００１９】
集光素子１３は、光透過率が大きく、高屈折率を有するアクリル樹脂材を用いて、光軸を回転中心として回転対称に成形されている。この集光素子１３は、発光素子１１に面する側には、光の屈折作用を有する第１のレンズ部１３ａと、この第１のレンズ部１３ａの外周に発光素子１１の発光点１１ａを中心とする半径ｒ１の第１の球面１３ｂが形成され、ライトガイド１２の入射開口１２ａに面する側には、光の屈折作用を有する第２のレンズ部１３ｃと、この第２のレンズ部１３ｃの外周にライトガイド１２の入射開口１２ａの中央を中心とする半径ｒ２の第２の球面１３ｄが形成され、それら第１のレンズ部１３ａ、第１の球面１３ｂ、第２のレンズ部１３ｃ、及び第２の球面１３ｄが一体に形成されている。
【００２０】
集光素子１３の第１の球面１３ｂと第２の球面１３ｄの外周は、光軸を回転中心として回転対称の楕円面（以下、回転楕円面と称する）１３ｅが形成されている。この回転楕円面１３ｅは、発光素子１１に面する部分は、回転楕円の短径部となり、ライトガイド１２の入射開口１２ａに面する部分は、回転楕円の長径部となっている。つまり、回転楕円の中心軸方向の略半分の形状に形成されている。
【００２１】
この集光素子１３の第１のレンズ部１３ａは、第２のレンズ部１３ｃに比べて光の屈折角が大きい面形状に形成され、第２のレンズ部１３ｃは、ライトガイド１２の入射開口１２ａの中心に光が収束する屈折角の面形状に形成されており、この第１のレンズ部１３ａと第２のレンズ部１３ｃにより発光素子１１からの光をライトガイド１２に対して収束入射させるレンズ手段を形成している。
【００２２】
発光素子１１の発光点１１ａと集光素子１３の第１のレンズ部１３ａまでの距離ｌ１は、第２のレンズ部１３ｃからライトガイド１２の入射開口１２ａまての距離ｌ２よりも小さく（ｌ１＜ｌ２）設定されており、この集光素子１３の第１のレンズ部１３ａと第１の球面１３ｂにより形成される空間部の第１球面１３ｄの半径ｒ１の中心に発光素子１１の発光点１１ａが位置するように配置されている。また、集光素子１３の第２の球面１３ｄの半径ｒ２の中心にライトガイド１２の入射開口１２ａの中心が位置されている。更に、集光素子１３の回転楕円面１３ｅからライトガイド１２に面する側に仮想延長された図中点線で示す楕円面１３ｘの短径部の外径とライトガイド１２の入射開口１２ａの外径とがほぼ一致する位置に配置される。
【００２３】
また、この集光素子１３の回転楕円面１３ｅの外周面には、金を真空蒸着鍍金して生成した反射鏡面１３ｆが形成され、この回転楕円面１３ｅと反射鏡面１３ｆにより回転楕円反射鏡手段が形成されている。この反射鏡面１３ｆを金の真空蒸着鍍金により形成することにより集光素子１３の使用環境雰囲気による変質が生じなく、耐久性が向上する。
【００２４】
つまり、集光素子１３の回転楕円面１３ｅに真空蒸着鍍金により形成された反射鏡面１３ｆの焦点は、発光素子１１の発光点１１ａ、およびライトガイド１２の入射開口１２ａの中央に一致しており、すなわち、第１のレンズ部１３ａと第２のレンズ部１３ｃの焦点位置とも一致している。
【００２５】
このような構成の光源装置は、発光素子１１に点灯電流を印加して発光点１１ａが発光すると、その発光点１１ａから放射された光のうち中央付近の光は、集光素子１３の第１のレンズ部１３ａにおいて、ほぼ平行光に変換され、その平行光が第２のレンズ部１３ｃにおいて収束光に変換されてライトガイド１２の入射開口１２ａに収束入射される。すなわち、この第１のレンズ部１３ａに入射される中央付近の光は、開口数ＮＡが約０．５程度より小さい光である。
【００２６】
発光素子１１の発光点１１ａから放射された光のうち中央付近の外周である外周付近の光、すなわち、開口数ＮＡが約０．５から約１．０の範囲の光は、第１の球面１３ｂを透過して、回転楕円面１３ｅの反射鏡面１３ｆにより完全反射して、第２の球面１３ｄを透過しライトガイド１２の入射開口１２ａの中央に集光される。
【００２７】
このライトガイド１２の入射開口１２ａに集光された光の開口数ＮＡは約０．５より小さくなるので、入射開口１２ａにおける反射が減少すると共に、ライトガイド１２の内部を伝播中の損失も小さくなる。また、光が第１の球面１３ｂおよび第２の球面１３ｄを透過する際、光は球面に直角に交わるために屈折されず、反射も最少になる。
【００２８】
なお、第１のレンズ部１３ａ、第１の球面１３ｂ、第２のレンズ部１３ｃ、および第２の球面１３ｄにそれぞれ反射防止膜を設けることにより光の反射が更に減少して光利用効率を高めることが可能となり、発光素子１１から放射された光の集光素子１３における導電経路途中での損失がほとんど無く、ライトガイド１２の入射開口１２ａに光入射させる光利用効率が向上させることができる。
【００２９】
このライトガイド１２の入射開口１２ａに入射した光は、ライトガイド１２の図示していない先端から出射され、図示しない観察及び検査対象である被写体に照射される。なお、発光素子１１は、観察の目的に合わせた白色、青色、赤外線、紫外線等の波長の光を発光するＬＥＤ、あるいは、ＬＥＤ以外の各種光源素子を用いることができる。
【００３０】
次に、本発明の第２の実施形態である光源装置について、図２を用いて説明する。図２は本発明の第２の実施形態である光源装置の主要部の構成を示す断面図である。なお、図１と同じ部分は、同一符号を付して詳細説明は省略する。
【００３１】
この第２の実施形態の光源装置における集光素子１４は、光透過率が大きく、高屈折率のポリカーボネート樹脂材を用いて、光軸を回転中心とした回転対称に成形されている。この集光素子１４の発光素子１１に面する側には、光の屈折作用を有するレンズ部１４ａと、このレンズ部１４ａの外周に発光素子１１の発光点１１ａの中心から半径ｒ１の球面１４ｂが形成されている。このレンズ部１４ａと球面１４ｂが形成された部分側の集光素子１４の外周は、光軸を回転中心とする回転楕円面１４ｅが形成されている。この回転楕円面１４ｅの大径部からライトガイド１２の入射開口１２ａに面する側には、光軸に平行な円柱形状部１４ｄが形成されている。その円柱形状部１４ｄの先端は、ライトガイド１２の入射開口１２ａと小さな隙間を持って平行に対向して配置される平面１４ｃが形成されている。つまり、集光素子１４は、レンズ部１４ａ、球面１４ｂ、回転楕円面１４ｅ、円柱形状部１４ｄ、及び平面１４ｃが一体に形成されている。
【００３２】
この集光素子１４のレンズ部１４ａは、ライトガイド１２の入射開口１２ａの中心に光を収束させる屈折角の面形状に形成されている。回転楕円面１４ｅには、アルミニウムを真空蒸着鍍金して形成した反射鏡面１４ｆが形成されており、この反射鏡面１４ｆにより反射された光をライトガイド１２の入射開口１２ａの中心に収束されるようになっている。アルミニウムの真空蒸着鍍金は、反射率が高く、コストが廉価に形成できる。
【００３３】
発光素子１１の発光点１１ａと集光素子１４のレンズ部１４ａまでの距離ｌ１は、このレンズ部１４ａとライトガイド１２の入射開口１２ａまでの距離ｌ２よりも小さく（ｌ１＜ｌ２）設定されている。また、集光素子１４の回転楕円面１４ｅからライトガイド１２に面する側に仮想延長された図中点線で示す楕円面１４ｘの短径部の外径とライトガイド１２の入射開口１２ａの外径とがほぼ一致する位置に配置される。
【００３４】
つまり、集光素子１４の回転楕円面１４ｅに真空蒸着鍍金により形成された反射鏡面１４ｆの焦点は、発光素子１１の発光点１１ａ、およびライトガイド１２の入射開口１２ａの中央に一致しており、すなわち、レンズ部１４ａの焦点位置とも一致している。
【００３５】
このような構成の光源装置は、発光素子１１に定電流を印加して発光点１１ａが発光すると、その発光点１１ａから放射された光のうち中央付近の光は、集光素子１４のレンズ部１４ａにおいて、収束光に変換されてライトガイド１２の入射開口１２ａに収束入射される。このレンズ部１４ａに入射される光は、開口数ＮＡが約０．５程度より小さい光である。
【００３６】
発光素子１１の発光点１１ａから放射された光のうち中央付近の外周の周辺付近の光、つまり、開口数ＮＡが約０．５から約１．０の範囲の光は、球面１４ｂを透過して、回転楕円面１４ｅの反射鏡面１４ｆにより完全反射して、円柱形状部１４ｄを透過し平面１４ｃからライトガイド１２の入射開口１２ａの中央に集光される。従って、このライトガイド１２の入射開口１２ａに集光された光の開口数ＮＡは約０．５より小さくなるので、入射開口１２ａにおける反射が減少すると共に、ライトガイド１２の内部を伝播中の損失も小さくなる。また、光が球面１４ｂを透過する際、球面１４ｂと直角に交わるために屈折されず、反射も最少になる。
【００３７】
なお、レンズ部１４ａ、球面１４ｂ、および平面１４ｃにそれぞれ反射防止膜を設けることにより前述した第１の実施形態と同様な効果が得られる。また、この集光素子１４は、一方端側を円柱形状部１４ｄとしたことにより成形が容易となり、コストの低減が可能となる。
【００３８】
次に、本発明の第３の実施形態である光源装置について、図３と図４を用いて説明する。図３は本発明の第３の実施形態である光源装置の主要部の構成を示す断面図、図４は本発明の第３の実施形態の光源装置に用いる集光素子をライトガイド側から見た平面図である。なお、図１と同じ部分は、同一符号を付して詳細説明は省略する。
【００３９】
この第３の実施形態の光源装置の集光素子１５は、中央部分に設けられたレンズ部１５ａ、内周面に光軸を回転中心として形成された回転楕円面１５ｄを有する周辺部１５ｂ、レンズ部１５ａと周辺部１５ｂの間を連結する等間隔に設けられた３本の薄板状のリブ１５ｃとからなっている。
【００４０】
この集光素子１５のレンズ部１５ａは、光透過率が大きく、光屈折率のアクリル樹脂材にて形成され、発光素子１１の発光点１１ａの側に比較的光の屈折角が大きい第１のレンズ部１５ｅと、ライトガイド１２の入射開口１２ａの側に第１のレンズ部１５ｅの光屈折角よりも小さい第２のレンズ部１５ｆからなり、発光素子１１の発光点１１ａから第１のレンズ部１５ｅまでの距離ｌ１は、第２のレンズ部１５ｆからライトガイド１２の入射開口１２ａまでの距離ｌ２よりも小さい（ｌ１＜ｌ２）関係に設定されている。また、集光素子１５の周辺部１５ｂに設けられた回転楕円面１５ｄからライトガイド１２に面する側に仮想延長された図中点線で示す楕円面１５ｘの短径部の外径とライトガイド１２の入射開口１２ａの外径とがほぼ一致する位置に配置される。
【００４１】
この集光素子１５の周辺部１５ｂは、機械的強度の大きなポリカーボネート樹脂で成形されており、回転楕円面１５ｄの全面には、アルミニウムを真空蒸着鍍金して形成される反射鏡面１５ｇが設けられている。この回転楕円面１５ｄに形成された反射鏡面１５ｇの焦点は、発光素子１１の発光点１１ａおよびライトガイド１２の入射開口１２ａの中央に一致している。
【００４２】
この反射鏡面１５ｇが設けられた回転楕円面１５ｄを有する周辺部１５ｂに薄板状のリブ１５ｃによりレンズ部１５ａが連結保持されて一体的に形成されている。すなわち、レンズ部１５ａと周辺部１５ｂで異なる部材により形成され、リブ１５ｃにより相互に連結保持された一体的な構成となっている。
【００４３】
このように、レンズ部１５ａと周辺部１５ｂをそれぞれに適切な部材を用いて成形することで、光の集光特性を良好にすることができる。また、周辺部１５ｂに真空蒸着鍍金を行う際のマスキングが不要であるため、製造コストの更なる低減となる。
【００４４】
この集光素子１５を用いることにより、前述した第１の実施形態と同じ作用と効果を有することができる。この第３の実施形態では、発光素子１１からの光のうち、周辺部１５ｂの回転楕円面１５ｄの表面に形成した鏡面１５ｇによる表面反射であり、光が樹脂材を透過しないので、光の減衰がさらに少なくなり、光の利用効率が更に向上する。
【００４５】
［付記］
以上詳述した本発明の実施形態によれば、以下のごとき構成を得ることができる。
【００４６】
（付記１）  被写体に投射される照明光を生成し、その照明光を導光するライトガイドに入射させる光源装置において、
照明光を発光させる発光素子とライトガイドの照明光の入射開口の間の同一光軸上に配置された集光手段、
この集光手段の略中心部分に設けられ、前記発光素子からの光を平行光に変換する第１のレンズ部と、その平行光を前記ライトガイドの入射開口に収束させる第２のレンズ部からなるレンズ手段と、
前記集光手段の略中心部分に設けられたレンズ手段の周辺に一体に設けられ、前記発光素子からの光を反射させて前記ライトガイドの入射開口に収束させる回転楕円形状に形成された回転楕円鏡手段と、
を具備したことを特徴とする光源装置。
【００４７】
（付記２）  前記ライトガイドの入射開口は、前記回転楕円鏡手段の外径を前記ライトガイドの入射開口側に仮想延長させた楕円短径と前記ライトガイドの入射開口の外径とが一致する位置に配置させたことを特徴とする付記１記載の光源装置。
【００４８】
（付記３）  前記集光手段のレンズ手段と回転楕円鏡手段は、光透過率及び屈折率の大きな樹脂材により一体に形成され、前記回転楕円鏡手段には金属の真空蒸着鍍金により反射鏡面が形成されていることを特徴とする付記１乃至２のいずれかに記載の光源装置。
【００４９】
（付記４）  前記レンズ手段の第１のレンズ部の周辺には、前記発光素子と前記回転楕円鏡手段を結ぶ線上に前記発光素子を中心とする第１の球面が形成されていることを特徴とする付記１乃至３のいずれかに記載の光源装置。
【００５０】
（付記５）  前記レンズ手段の第２のレンズ部の周辺には、前記ライトガイドと前記回転楕円鏡手段とを結ぶ線上に前記ライトガイドの入射開口を中心とする第２の球面が形成されていることを特徴とする付記１乃至３のいずれかに記載の光源装置。
【００５１】
（付記６）  前記集光手段のレンズ手段と回転楕円鏡手段とは個別に形成され、そのレンズ手段と回転楕円鏡手段の間は少なくとも一対の薄板状の連結部により連結されて一体化していることを特徴とする付記１乃至５のいずれかに記載の光源装置。
【００５２】
（付記７）  前記発光素子は、発光ダイオードを用いたことを特徴とする付記１乃至６のいずれかに記載の光源装置。
【００５３】
（付記８）  発光素子とライトガイド入射開口の間に集光素子を配置したライトガイド光源装置において、
前記集光素子は、中心にレンズ部があり、周辺に回転楕円鏡を有する形状であり、光透過率及び屈折率の大きな樹脂で一体に成形されており、前記レンズ部の焦点位置と前記回転楕円鏡の焦点位置がほぼ一致している。前記回転楕円鏡は、前記ライトガイド入射開口に面する楕円短径とほぼ一致しており、また、前記回転楕円鏡面には金属の真空蒸着メッキが行われていることを特徴とするライトガイド光源装置。
【００５４】
（付記９）  前記発光素子は、ＬＥＤ（発光ダイオード）であることを特徴とする付記８記載のライトガイド光源装置。
【００５５】
（付記１０）  前記発光素子に面する側の前記レンズ部と前記回転楕円鏡を結ぶ面が、前記発光素子の発光点を中心とする球面であることを特徴とする付記８及び９のいずれかに記載のライトガイド光源装置。
【００５６】
（付記１１）  前記ライトガイド入射開口に面する側の前記レンズ部と前記回転楕円鏡を結ぶ面が、前記ライトガイド入射開口の中央を中心とする球面であることを特徴とする付記１０記載のライトガイド光源装置。
【００５７】
（付記１２）  前記レンズ部と前記回転楕円鏡が、少なくとも２枚の薄板状連結部で接続されていることを特徴とする付記８および９のいずれかに記載のライトガイド光源装置。
【図面の簡単な説明】
【００５８】
【図１】本発明の第１の実施形態である光源装置の主要部の構成を示す断面図。
【図２】本発明の第２の実施形態である光源装置の主要部の構成を示す断面図。
【図３】本発明の第３の実施形態である光源装置の主要部の構成を示す断面図。
【図４】本発明の第３の実施形態である光源装置に用いる集光素子をライトガイド側から見た平面図。
【図５】従来の光源装置に用いる集光素子の構成を示す断面図。
【符号の説明】
【００５９】
１１    発光素子
１１ａ  発光体
１２    ライトガイド
１２ａ  入射開口
１３    集光素子
１３ａ  第１のレンズ部
１３ｂ  第１の球面
１３ｃ  第２のレンズ部
１３ｄ  第２の球面
１３ｅ  回転楕円面
１３ｆ  反射鏡面
代理人  弁理士  伊藤  進
【図１】
2005347224.tif 000003
【図２】
2005347224.tif 000004
【図３】
2005347224.tif 000005
【図４】
2005347224.tif 000006
【図５】
2005347224.tif 000007